(57)【特許請求の範囲】
【請求項１】
複数の杭の周面間に横架させて取り付ける結構部材であって、各杭が挿通可能な複数の筒体と、前記筒体間を杭の建込ピッチに合わせて連結する連結材とより構成された杭の結構装置を使用し、
前記結構装置を軟弱地盤中に沈設し、
前記結構装置の各筒体内に杭を挿通して打設し、
杭と前記結構装置の筒体間に固結材を注入して一体に結合することを特徴とする、
杭の結構方法。
【発明の詳細な説明】
【０００１】
【産業上の利用分野】
本発明は、杭式水上構造物を構築するための、杭の結構装置及び杭の結構方法に関する。
【０００２】
【従来の技術】
従来、軟弱地盤に杭式水上構造物を構築する際には、構造物の変形や杭断面を小さく抑えるために、置換工法やサンドコンパクションパイル工法といった地盤改良を施し、軟弱地盤を所要の水平支持力を持つ地盤に改良する手法が採られている。
【０００３】
【発明が解決しようとする問題点】
前記した杭の設置技術にあっては、次のような問題点がある。
＜イ＞  軟弱地盤の改良範囲（厚さ）が増すほど、工期が長期化すると共に、工費負担が増す。
＜ロ＞  工期短縮が求められる現場では、単一工種の地盤改良で急速施工することに限界があり、その対応が難しい。
＜ハ＞  地盤改良を行う場合、浚渫作業が伴う。
近年の処分用地不足の状況から、浚渫により生じた残土の処分地確保が困難である場合が多く、残土処分に要する費用の負担が大きい。
【０００４】
【本発明の目的】
本発明は以上の問題点を解決するためになされたもので、その目的とするところは、地盤改良を行うことなく杭の応力及び変形を抑えることのできる、杭の結構装置及び杭の結構方法を提供することにある。
【０００５】
【問題点を解決するための手段】
本発明は、複数の杭の周面間に横架させて取り付ける結構部材であって、各杭が挿通可能な複数の筒体と、前記筒体間を杭の建込ピッチに合わせて連結する連結材とより構成された杭の結構装置を使用した杭の結構方法に関するものであり、前記結構装置を軟弱地盤中に沈設し、前記結構装置の各筒体内に杭を挿通して打設し、杭と前記結構装置の筒体間に固結材を注入して一体に結合することを特徴とする、杭の結構方法である。
【０００６】
【実施例１】
以下図を参照しながら本発明の地中結構部材について説明する。
【０００７】
＜イ＞結構装置（図１、２）
結束部材である結構装置１０は、杭２０を挿通可能な複数の筒体３０と、各筒体３０を連結する連結材４０とより構成する。
【０００８】
＜ロ＞筒体
図２に示すように筒体３０は、杭２０の外径より若干大きな内径を有する円筒で、その周面に注入管３１と排出管３２が夫々接続されていて、筒体３０内に固化材を注入できるようになっている。
筒体３０内の上部及び下部には環状のシール材３３が取り付けてあり、杭２０との周面と筒体３０の上下間でシールできるようになっている。
また、杭２０との結合力を向上させるため、筒体３０の内周面及び杭２０の外周面に複数のシアキー３４が突設してある。
尚、シアキー３４を省略する場合もある。
【０００９】
＜ハ＞連結材
図１に示すように連結材４０は、各筒体３０を連結するためのトラス構造体で、その長さは、杭２０の建込間隔に合わせて各筒体３０を保持できる寸法に設定されている。
【００１０】
【作用】
次に杭の結構方法について説明する。
【００１１】
＜イ＞結構装置の沈設
図３に示すように、結構装置１０を軟弱地盤６０に貫入させ、結構装置１０の沈設は、結構装置１０の自重を利用して行うか、或いは結構装置１０の下部に下向きにノズルを取り付け、ジェット水を噴射しながら沈設したり、結構装置１０の上部側をバイブロハンマー等で打設する方法等の補助工法を利用できる。
【００１２】
＜ロ＞杭の建て込み・打設
図４に示すように、軟弱地盤６０中の所定深度まで結構装置１０を沈設したら、水上側から吊り上げた杭２０を各筒体３０内に夫々建て込む。
杭２０は、各筒体３０をガイド部材として、支持地盤５０まで打設する。
【００１３】
＜ハ＞結構装置と杭の結合
杭２０の打設後、次に示す要領で杭２０と結構装置１０を固化材により結合する。
先ず、注入管３１より水を送り、シール材３３で画成された杭２０と結構装置１０との空間内を洗浄する。
その後、同じ注入管３１より固化材の注入を開始し、排出管３２から固化材の戻りが確認されるまで、固化材を注入する。
以上の工程を各結合部で実施することにより、各杭２０と結構装置１０の各筒体３０を一体に結合する。
結構装置１０の筒体３０内周面及び杭２０の結構装置１０との対向部分付近には複数のシアキー３４を形成しているため、杭２０と結構装置１０との結合力が高くなる。
これにより、各筒体３０に建て込んだ杭２０にかかる応力及び変形力を抑制することができる。
また、結構装置１０を地盤５０に接面させているため、支持力が増大する。
よって杭２０が細径であっても十分な支持力を確保できる。
【００１４】
＜ニ＞上部工の施工
図１に示すように、結構した各杭２０の上部に各種の水上構造物７０を構築する。
【００１５】
【実施例２】
図５は水中で杭間を結構する他の実施例を示す。
＜イ＞杭打設（図５Ａ）
複数の杭２０を水上より打設する。
【００１６】
＜ロ＞結構装置の嵌装（図５Ｂ）
打設した各杭２０の頭部より、前記実施例１で説明した結構装置１０の各筒体３０を嵌装して、後述する仮止め位置まで降下させる。
【００１７】
＜ハ＞仮止め（図５Ｃ）
結構装置１０を杭２０の周面途上で仮止めする。
仮止め方法としては、例えば各杭２０の頭部に予め反力桁８０を設け、この反力桁８０に垂下させた吊り鋼棒９０の下部を結構装置１０に接続して、杭２０の途上で仮止めする。
仮止め方法は上記の方法に限らず、例えば杭２０の外周面の途上に予め引掛部等を設けたり、船上よりクレーンで吊り下げたり、各種公知の方法を採用できる
。
【００１８】
＜ニ＞固着（図５Ｄ）
結構装置１０と杭２０との空間内に固化材を注入して結構装置１０を杭２０に固着し、所定の水上構造物を構築する。
【００１９】
＜ハ＞効果
結構装置１０を使用しないで大深度の海域に杭式水上構造物を構築しようとすると、海底面からの各杭２０の突出部２１が長いため、水上構造物の設計水平外力に対して、各杭２０に多大な断面力が作用し、水上構造物の変位も非常に大きくなり、水上構造物の構築が困難である。
本実施例にあっては、結構装置１０を各杭２０の水底より露出する途上間に結構することで、各杭２０に発生する断面力を小さくし、水上構造物７０の変位を抑制することができる。
【００２０】
【実施例３】
結構装置１０を構成する各筒体３０の配列は、一直線状に配列することの他に、非直線状、或いは円筒状、角柱状等、杭２０の打設形態に応じて適宜選択できる性質のものである。
【００２１】
【発明の効果】
本発明は以上説明したようになるから次のような効果を得ることができる。
【００２２】
＜イ＞  地盤改良を行う必要がないため、工期を短縮でき、且つ工費も低減させることができる。
【００２３】
＜ロ＞  また、残土等も発生しないため、残土処分地及び残土処理費用について考慮する必要が無くなった。
【００２４】
＜ハ＞  よって、無駄な作業を行う必要がないから施工工程を短縮できる。
【００２５】
＜ニ＞  地盤改良を行わなくても、支持力が高いため構造物の変形と杭の仕様を小さくできる。
【図面の簡単な説明】
【図１】本発明に係る杭の結構装置及び杭の施工方法による施工の全体図
【図２】実施例１に係る結構装置の断面図
【図３】本発明に係る結構装置の沈設時の説明図
【図４】本発明に係る杭の配置時の説明図
【図５】実施例２に係る杭の結構方法による施工の説明図
【図１】
0003554901.tif 000002
【図２】
0003554901.tif 000003
【図３】
0003554901.tif 000004
【図４】
0003554901.tif 000005
【図５】
0003554901.tif 000006